(57)【要約】    【課題】係止させられたビニール袋が上下方向及び水平方向の四方に抜き出され得、開口部が放射状に拡大・縮小されたり、変形され得るゴミ箱の提供。    【解決手段】針金からなる矩形枠状の基部１１と、この四隅に立設された係止部１２と、係止部１２の先端部に被せられた保護部１３とを備える。係止部１２を各別に所定角度、傾けてビニール袋２の開口部の形状に合わせた状態で、ビニール袋２の開口部を係止部１２の先端に引っ掛けて係止部１２に係止させ、ビニール袋２の開口部の先端部を係止部１２の先端部の外側に折り曲げて固定する。【選択図】図１
2006168946.tif 000002
【特許請求の範囲】
【請求項１】
可撓性を有する材料からなり、基部に立設されており、その先端部にビニール袋の開口部を係止すべく構成されている、３又はそれ以上の係止部を備えるゴミ箱。
【請求項２】
上記係止部の先端部が外側に折り曲げられている請求項１に記載のゴミ箱。
【請求項３】
上記係止部の先端部が丸められている、又は上記先端部に保護部が設けられている請求項１又は２に記載のゴミ箱。
【発明の詳細な説明】
【技術分野】
【０００１】
本発明は、野菜、果物、魚、肉等のくず、かす、紙くず等のゴミを廃棄するためのゴミ箱に関する。
【背景技術】
【０００２】
従来、台所において、調理時に生じる、野菜、果物、魚、肉等のくず、かす等のゴミは、台所に置いてあるゴミ箱に直接、投入されるか、又はシンクの片隅に配された、三角コーナーくず入れ若しくはビニール袋に投入された後、ゴミが溜まり次第、より大きなゴミ箱に捨てられている。
【０００３】
しかし、上記ゴミがゴミ箱に直接投入されるとき、又は三角コーナーくず入れに投入された後、ゴミ箱に投入されるとき、汁が床にこぼれて汚れることがある。そして、ビニール袋をシンクに配する場合、ビニール袋の開口部は閉じやすいので、廃棄の度に口を開かねばならないので、煩雑である。また、ビニール袋を三角コーナーくず入れ等の小型のゴミ箱内に配したときは、ビニール袋は開口した状態になるが、ゴミが溜まってビニール袋を取り出すときに取り出しにくいという問題がある。
【０００４】
そこで、上記問題を解決するために、本願発明者は、長方形の形状の針金をコの字形状に折り曲げ、この長方形の短辺部であってコの字形の開口部に相当する部分に、ビニール袋の開口部を引っ掛けるように構成されている針金ゴミ箱について考案した。
【特許文献１】実公昭５７−３４１６１号公報
【発明の開示】
【発明が解決しようとする課題】
【０００５】
しかし、上記針金ゴミ箱においては、係止させたビニール袋内にゴミが溜まったときに、上記長方形の短辺部に相当する部分からはビニール袋を抜き出すことが出来ず、この部分が存在しない一方向からしか抜き出すことが出来ないという問題がある。また、大きなビニール袋を針金ゴミ箱に引っ掛けるために、この部分を外側に押し拡げて針金ゴミ箱を大きくすることが可能であるが、平面視で長方形状に拡げられることになるので、ゴミを投入しにくく、ビニール袋が長方形の長辺側で破れやすくなるという問題がある。
【０００６】
本発明の目的は、係止させられたビニール袋が上下方向及び水平方向の四方に抜き出され得、開口部が放射状に拡大・縮小されたり、変形され得るゴミ箱の提供にある。
【課題を解決するための手段】
【０００７】
本発明に係るゴミ箱は、
可撓性を有する材料からなり、基部に立設されており、その先端部にビニール袋の開口部を係止すべく構成されている、３又はそれ以上の係止部を備える。
【０００８】
好ましくは、係止部の先端部が外側に折り曲げられている。
【０００９】
好ましくは、係止部の先端部が丸められている、又は上記先端部に保護部が設けられている。
【発明の効果】
【００１０】
このゴミ箱においては、係止させられたビニール袋が上下方向及び水平方向の四方に抜き出され得る。また、ビニール袋の大小及び開口部の形状に合わせて、ゴミ箱の開口部が放射状に拡大・縮小されたり、変形され得る。
【発明を実施するための最良の形態】
【００１１】
以下、適宜図面が参照されつつ、好ましい実施形態に基づいて本発明が詳細に説明される。
【００１２】
図１は、本発明の一実施形態に係るゴミ箱１が示された側面図、図２は斜視図、図３は平面図である。このゴミ箱１は、基部１１と、係止部１２、１２、１２、１２と、保護部１３、１３、１３、１３とを備えている。
【００１３】
基部１１は鋼又はステンレス製の針金からなり、矩形枠状である。係止部１２も鋼又はステンレス製の針金からなり、基部１１の四隅に立設されている。係止部１２の先端部は外側に折り曲げられており、ゴム製で球状の保護部１３が被せられている。係止部１２は針金からなるので可撓性を有しており、周囲のいずれの方向にも傾けることが出来る。  
【００１４】
このゴミ箱１は、次のようにして使用される。図４は、ゴミ箱１にビニール袋２が係止された状態が示された斜視図である。
【００１５】
まず、作業者は、ビニール袋２の底部をゴミ箱１の基部１１内に収める。ビニール袋２の開口部を拡げながらビニール袋２を立て、この開口部を係止部１２の先端部に引っ掛けてビニール袋２を係止部１２に係止させる。そして、開口部の先端部を係止部１２の外側に折り曲げて、ビニール袋２がゴミ箱１から外れないようにする。係止部１２の先端部には、保護部１３が設けられているので、ビニール袋２がゴミ箱１に係止されるときに、ビニール袋２が破れることがない。
【００１６】
このゴミ箱１においては、４つの係止部１２が柱状に設けられているので、係止部１２と係止部１２との間から、すなわち、水平方向の四方から、ビニール袋２を容易に抜き出すことが出来、上下方向にも抜き出すことが出来る。このとき、ビニール袋２が破れることもない。
【００１７】
ビニール袋２を係止部１２に係止させたとき、ビニール袋２の口が開いたままの状態が保持されるので、ゴミの廃棄の度に口を開く必要がなく、手も汚さずに済む。ゴミ箱１は、直接ゴミに触れることが少なく、ビニール袋２はゴミが溜まると廃棄されるので、ゴミ箱１は汚れにくく、清掃が容易である。
【００１８】
このゴミ箱１は、針金を加工することにより、容易に製作され得る。ビニール袋２は、食品が収納されていたものが再使用され得る。ビニール袋２に印刷が施されると、美しいゴミ箱が得られ、広告宣伝にも用いられ得る。
【００１９】
ゴミ箱１は針金からなり、可撓性を有しているので、係止部１２が内側又は外側に傾けられることで、ビニール袋２の大きさに合わせて開口部が放射状に拡大・縮小され得る。また、ビニール袋２の開口部が長方形状等である場合においては、係止部１２の傾きが各別に変えられることで、ゴミ箱１の開口部がビニール袋２の開口部の形状に合わせられ得る。
【００２０】
図５は、小さなビニール袋２がゴミ箱１に係止させられた状態が示された断面図である。４つの係止部１２が所定角度、内側に傾けられて、開口部が縮小され、小さなビニール袋２が係止部１２が係止されている。
【００２１】
図６は、大きなビニール袋２がゴミ箱１に係止させられた状態が示された断面図である。４つの係止部１２が所定角度、外側に傾けられて、開口部が拡大され、大きなビニール袋２が係止部１２が係止されている。
【００２２】
以上のように、本発明のゴミ箱１においては、ビニール袋２の開口部の大きさ及び形状に合わせて、容易にゴミ箱１の開口部の大きさ及び形状が変えられ得るので、ゴミが投入されやすくなり、ビニール袋２が破れることもない。
【００２３】
上記実施の形態においては、ゴミ箱１が鋼又はステンレス製の針金からなる場合につき説明しているがこれに限定されるものではなく、可撓性を有する材料であればよく、プラスチック製でもよい。また、薄板を打ち抜いて製作することにしてもよい。そして、係止部１２は４本に限定されるものではなく、３本以上であればよいが、ビニール袋２を係止させたときの安定度、及び開口部の変形の自由度の観点から４本以上であるのが好ましい。基部１１は矩形枠状であることに限定されるものではなく、板状であってもよい。さらに、保護部１３を設けずに、係止部１２の先端部を丸めることにしてもよい。
【産業上の利用可能性】
【００２４】
本発明は、台所等の室内、公園等に配置されるゴミ箱に適用され得る。
【図面の簡単な説明】
【００２５】
【図１】図１は、本発明の一実施形態に係るゴミ箱が示された側面図である。
【図２】図２は、図１のゴミ箱が示された斜視図である。
【図３】図３は、図１のゴミ箱が示された平面図である。
【図４】図４は、図１のゴミ箱にビニール袋が係止された状態が示された斜視図である。
【図５】図５は、図１のゴミ箱に小さなビニール袋が係止させられた状態が示された断面図である。
【図６】図６は、図１のゴミ箱に大きなビニール袋が係止させられた状態が示された断面図である。
【符号の説明】
【００２６】
１・・・ゴミ箱
１１・・・基部
１２・・・係止部
１３・・・保護部
２・・・ビニール袋
【図１】
2006168946.tif 000003
【図２】
2006168946.tif 000004
【図３】
2006168946.tif 000005
【図４】
2006168946.tif 000006
【図５】
2006168946.tif 000007
【図６】
2006168946.tif 000008